(57)【要約】      （修正有）【課題】大容量排海水の確実な排海水方法。【解決手段】海上大気圧圏内１気圧の空気を海上大気圧空気大容量配置筒よりの数十基の「高圧空気噴出機」にて排海水主力水槽の底辺部分より一斉に噴出稼動を行なう事とすれば強力な浮力に依る大容量空気の噴出侵入となり確実な排海水排出圧流が排海水主力水槽内に発生する事は目明の理であり、その厖大な噴出空気容量は無尽蔵に海上空中に存在する。海中発電が大きく前進する事となるが発見されたものである。排海水主力水槽」の底辺部分に設置される各種高圧空気噴出機の改良を行ないより軽快により大量の噴出空気の排出が可能となる事を思考する。図２〕に記した「空気排出浮力活用排出装置」の改良を行ないより軽快で大容量排出方法が可能な装置の発見をする事とする。【選択図】図２
2015036540.tif 000002
【特許請求の範囲】
【請求項１】
海中発電船内に設置がされた発電機稼動後に発生する大容量の排海水の放出を海中部分に行なう為に、ほぼ満杯となった「排海水主力水槽」内に於いてまず本水槽内の大気圧圏内１気圧空間の確保の為に開口がされている海上空間の連絡口である「海上放出排圧空気調整筒」の閉鎖を行ない、次に排海水の侵入停止と「海上大気圧空気大容量配置筒」よりの「排海水主力水槽」内の低面部分に設置がされた数十箇所の高圧空気噴出機よりの大量の噴出空気の継続噴出が行なわれる事となる。
当然この侵入噴出空気の排出量は無限量であり、「排海水主力水槽」内に於いては継続された侵入噴出空気に依る浮力排出空間増加の継続と同時に排海水排出の為に開口が行なわれている「排海水空気圧放出開閉筒」部分よりもこの自然の強力な排海水排圧流の出現に依り排海水の外海放出がほぼ自然な姿で継続される事となり、段々と排出規定水準の「侵入空気圧排出海中空間喫水線」部分迄の排海水処理が行なわれる事となる。
そして次の侵入排海水を受け入れる為に「外海海水侵入遮断機」に依る排出口の閉鎖を行ない、次に「海上放出排圧空気調整筒」の開口を行う事とすれば、高気圧大海中空間となった「排海水主力水槽」内も瞬時に海上空間と継がる事となり高気圧大海中空間が大気圧圏内１気圧空間内の大容量排海水主力水槽の出現となり、次の排海水が全く何の負荷抵抗等は起こり得ず、滝の如く本「排海水主力水槽」内に放出排水が繰り返される事に依り、大容量排海水が完全に外海へと処理される事となる天然空気の侵入噴出活用を行なった排海水装置であり、天然空気の大容量噴出活用方法の発見に依る「排出空気の侵入浮力活用に依る大容量排海水処理構想」
【発明の詳細な説明】
【技術分野】
【０００１】  海上部分に設置がされた海中発電船内の各種発電装置より排出される大量の排海水を排出処理の為に図１図２の通り諸々の排海水装置を設置する。
本排海水装置の主力の働きをする装置は海上大気圧圏内１気圧空気を「排海水主力水槽」内に貯留された排海水の外海排出の為に大量の空気噴出に依る噴出浮力空間の増加活用を行ない段々と大容量排海水の外海排出を行なう事とする。【０００２】  本申請は現在迄誰も考え得なかった大気圧圏内１気圧空気を海中にて空気侵入浮力空間発生活用に依る強烈な排海水放出力として大容量排海水外海排出方法として偶然にも発見考案された事に依り、画期的な大容量排海水が充分に可能となり、より海中発電の発展進歩となるものである。【０００３】  次の通り〔図１〕〔図２〕にて説明をする。【０００４】  海中発電稼動後に発生する大量の排海水が「排海水主力水槽」内に規定の水準水位迄に達すると、本水槽内のその時点に於いては排海水侵入保持の為の本「排海水主力水槽」内の大気圧圏内１気圧空間保持の為に海上空間部分との接続の為の「海上放出排圧空気調整筒」の開口が行なわれていたが、まずこの「海上放出排圧空気調整筒」の閉鎖が行なわれ、同時に「排海水安定準備水槽遮断扉」の閉鎖が行なわれると、今度は「海上大気圧空気大容量配置筒」よりの無限量の空気が、「排海水主力水槽」内底部部分に設置がされた数十箇所の「高圧空気噴出機」より噴出侵入が行なわられる事となり、段々と海中浮力空間の増加に依る排海水の排出圧力が強烈な排海水力として発生する事となる。
そしてほぼ同時に「海上大気圧空気大容量配置筒」よりの無限量の空気が各空気噴出機数十箇所より次々と噴出侵入となり、段々と「排海水主力水槽」内の排海水は押し出される形で外海へと排出される事となる。
その時により排圧排出力の強化の為に「図１」「図２」の通りの「回転稼動排海水放出筒装置」の活躍に依る回転渦流の発生と「大気圧圏内空気活用交互膨張稼動装置」の稼動に依る排出水圧の強力化、又「負圧活用吸引排海水放出稼動装置」の設置に依る「排海水吸引圧発生放出筒」よりの「負圧発生空間」活用も同時に行ない、各排出水圧を取り込み乍らより大量の排海水放出方法を思考したものである。
次に諸々の排海水活動に依る排海水処理となり、規定目標水位である「侵入空気圧排出海中空間喫水線」部分水位迄排海水処理の完了となれば、まず「外海海水侵入遮断機」「排海水放出口」等の閉鎖を行ない、外海よりの逆侵入を遮断する事とする。
そして大量の高圧空気侵入活動に依る「排海水主力水槽」内の大容量侵入海中空間内の侵入空気は役目を終えた事となる。
次にこの大容量空間内の高圧空気に対して次の排海水侵入の為に「海上放出排圧空気調整筒」を開口し、大気圧圏内１気圧の侵入を行なえば、「排海水主力水槽」内の空気圧はほぼ瞬時に「大気圧圏内１気圧」の空気へと変貌する事となり、「排海水主力水槽」内には再度上方貯留水槽内より滝の如く次々と新排海水の流入となり、規定水位部分迄の満水となれば「海水放出排圧空気調整筒」の閉鎖が行なわれ、先般説明の通りの排海水方法にての排海水の放出が繰り返される事となる。
当然本排海水設備装置を海中発電船内に２基〜３基と並設設置が行なわれるものであり、陸上の高層ビル等とは全く比較に無らない簡単な海中空気容器であり、蜂の巣の形状を参考にすればより簡単に設置出来る事となる。
又大切な事は発電に必要な全エネルギー源である海水は無限量に存在をし、厖大な排海水量の外海排出に必要な噴出空気も無限量であり、双方の活用活躍に依る厖大な発電量となる海排水設備装置併設となる海中発電船が出現する事となる。【０００５】
【特許文献】３件  特許第５０３０００７号  登録日  平成２４年７月６日  「海水圧高圧噴出発電装置」  出願者  島  晴勇  特許第４９９３０２７号  「回転扇発電に於ける大容量発電と大量排海水処理の全体構想である」  出願者  島  晴勇  特許第４９７４０１７号  「扇形浮力船回転式ドラム缶水流発電機」  出願者  島  晴勇
【発明の概要】
【発明が解決しようとする課題】  海上喫水線より数ｍ〜数十ｍ下部分より噴出する侵入海水を活用し、各種回転扇、各種水流発電機等の回転稼動に依る発電済後の大量の排海水を次々と順調に外海部分へと排出が出来ることとなれば、各種発電方法の開発発展も大きく前進する事となり、本申請は肝心で大切な排海水方法の新排海水方法の発見となり排海水処理がより簡単に且つ自然の原理の活用の為に海上大気圧空間１気圧よりの空気の噴出となり、２基〜４基の「排海水主力水槽」を設置をすれば厖大な排海水量が充分に可能となる。
【課題を解決するための手段】  まず数基並列設置がされた「排海水主力水槽」内の排海水を外海へ排出さす為に海上空間部分の空気を「海上大気圧空気大容量配置筒」内に充満させ「排海水主力水槽」内の底辺部分に数十基設置がされた「海上大気圧空気大容量配置筒」より継続した「高圧空気噴出機」が一斉に高圧空気噴出を「排海水主力水槽」内に大量の高圧空気噴出の継続が行なわれても何ら心配する事等は無く、短時間で排海水の外海への放出排水が完了する事となる。
又〔図２〕内の「空気排出浮力活用排出装置」の様な簡単な装置でも充分な大量噴出空気稼動となり排出空気方法も同時に進歩する事となる。
【発明の効果】  大量の海水活用に依る海中発電船内での海水侵入稼動に依る各種発電方法は必ず進歩発展に依る大容量発電が実現する事となる。
大切な事はその時に発生する大量の排海水処理が本排出方法の画期的な発見に依り、「排海水主力水槽」が数基並設設置が行なわれ、より大量の排海水処理が可能となれば必ず大容量海中発電船が出現する事となる。
そしてその設置部分は海上喫水線から僅か数十ｍの浅い海中部分での設置で充分であり、排出に使用する空気も普通の無尽蔵に存在する大気圧圏内１気圧の空気を活用するだけの事であり、大切な地球自然への負荷等は全く考えられないものであり、この装置の設置場所は陸上での巨大プール、湖、各地河口湾内等々世界中で設置が可能であり、現在迄誰も考え得なかった海中発電に依り人類にとって大切な電気の発電方法の１ツが発見された事となる。
今後はこの大容量排出海水流の活用を行ない、大量の酸素の供給、海水塩分濃度の調整等の研究を行なえば数十ｋｍ範囲の広大な豊かな魚場が出現する事となる。
【図面の簡単な説明】
【図１】大規模海中発電船内で発生する大量の排海水処理の為に、「排海水槽」内を２段構えとし、まず上部貯留水槽内の排海水は次々と下方「排海水主力水槽」内に流入する事となる。そしてその排海水処理の強力な補助の為にまず「回転稼動排海水放出筒装置」「大気圧圏内空気活用交互膨張稼動装置」に依る強力な回転渦流に依る排出圧流の発生を行ない同時に下方設置の各「海上大気圧空気大容量配置筒」よりの無限量供給に依る大量の高圧空気の噴出侵入が行なわれると、その強力な侵入排圧排出力に依る排海水の放出が各「排海水空気圧放出開閉筒」「負圧活用吸引排海水放出稼動装置」双方より次々と外海へと排出される事となる。
【図２】図１とほぼ同様の排出方法を図示したものであるがより強力な排海水処理の為の大容量高圧空気の発生侵入の為に大気圧圏内１気圧海上空間部分に「大容量圧縮空気噴出装置」の設置とより強力な「高圧空気送風装置」数基からの噴出空気を「大容量高圧空気噴出装置」を「排海水主力水槽」底辺部分に数十基の設置を行ないより強力で大容量の排海水処理が可能となる設置図である。
【発明を実施するための形態】
〔図１〕大規模海中発電船内に設置がされた各種回転扇発電装置等よりの大量の排海水が図１の通りの「排海水主力水槽」内に次々と流入して来る事となる。
当然本「排海水主力水槽」部分は数基並列設置となり交互に排海水侵入と排海水排出が行なわられる事とする。
まず次々と侵入して来た排海水が「排海水主力水槽」内の所定の規定水位迄の侵入となれば、まず排海水の侵入円滑の為に開口されていた「海上放出排圧空気調整筒」と「排海水安定準備水槽遮断扉」の閉鎖となり、同時に「外海海水侵入遮断機」が開口され排海水の外海放出の準備となり併わせて「排海水吸引圧発生放出筒」上部に設置がされた「負圧活用吸引排海水放出稼動装置」の稼動に依る本格的な同筒円よりの排海水の吸圧排海水放出の準備が行なわれる事となる。
そして同時に「回転稼動排海水放出筒装置」内の回転翼に依る回転渦流発生と「大気圧圏内空気活用交互膨張稼動装置」内への高圧空気侵入に依る膨張空間出現に依る強烈な排出圧力の出現となり、同時に「海上大気圧空気大容量配置筒」よりの無限量の高圧空気の噴出となり、当然この高圧空気噴出機は数十基の設置とする。
又海上部分に設置がされた強力な吸引排出装置である「負圧活用吸引排海水放出稼動装置」は強力な吸引排出ストローの役割となり、各種強力な排海水装置の設置に依り「排海水主力水槽」内の排海水は短時間にて次々と外海へと排出される事となる排海水放出設備装置の全体図である。
〔図２〕図１と同様に大量の排出空気の活用の為の大規模「大容量圧縮空気噴出装置」の設置と、「高圧空気送風装置」数十基の設置を行ない、ほぼ〔図１〕と同様の排海水方法を記した図となる。
【図１】
2015036540.tif 000003
【図２】
2015036540.tif 000004